(57)【要約】      （修正有）【課題】複数の半導体レーザーから発したレーザー光が、同時に、１つの対物レンズを通過できれば、１枚の光ディスクに対し、複数の半導体レーザーによって近接した位置に同時に複数の記録が可能となる。又、光ディスクの別々の位置で反射したレーザー光を１個の対物レンズを通過させることによって複数の光検出器に振り分けられれば、１枚の光ディスクの近接した位置から同時に複数の情報を再生できる。【解決手段】ボールレンズを利用し、複数のレーザー光発信器から同時にレーザー光を発してボールレンズを通過させて、光ディスクの別々の近接した位置に同時に複数の情報を記録する。同様に、光ディスクの別々の近接した位置で反射したレーザー光を同時にボールレンズを通過させることによって、別々の光検出器に到達させて同時に再生する。【選択図】図１
2008192273.tif 000002
【特許請求の範囲】
【請求項１】
複数の半導体レーザーを有する光ディスクの記録・再生装置の光ヘッドにおいて、２個以上の半導体レーザーに対応する対物レンズとして１個のボールレンズを使用したことを特徴とする光ヘッド。
【請求項２】
光ディスクの記録装置において、２個以上の半導体レーザーと、光ディスクに対する対物レンズとして１個のボールレンズとを配置し、該各半導体レーザーから発して光ディスクに達するレーザー光の全てが該ボールレンズを通過するように設定したことを特徴とする光ヘッド。
【請求項３】
請求項２の光ヘッドが複数個組み込まれた光ヘッド。
【請求項４】
光ディスクの再生装置において、２個以上の光検出器と、光ディスクに対する対物レンズとして１個のボールレンズとを配置し、光ディスクに反射して該各光検出器に達するレーザー光の全てが該ボールレンズを通過するように設定したことを特徴とする光ヘッド。
【請求項５】
請求項４の光ヘッドが複数個組み込まれた光ヘッド。
【発明の詳細な説明】
【産業上の利用分野】
【０００１】  現在、光ディスクはその大容量・高密度化に向けた研究開発が進められている。そして、そのためには、光ディスクへの情報の記録及び光ディスクからの情報の再生の各速度の高速化も要求される。さらに、３Ｄテレビの実現に向けた研究も行われているが、それを実現するためには、異なった情報を同時に光ディスクに記録し、又、異なった情報を同時に再生する必要がある。本発明は、光ディスクに対する記録・再生の大容量・高密度化に利用できると同時に、光ディスクへの「異なった情報」の「同時」記録、及び「異なった情報」の「同時」再生にも利用できる。
【背景技術】
【０００２】    従来の光ディスクの記録装置における光ヘッドは、多くは、半導体レーザーから出た光を、偏向ビームスプリッターを透過させた後にレンズを使って平行光線に変換し、その後に対物レンズを透過させて光ディスクに集光させて記録し、又、再生装置は、光ディスクで反射した光を偏向ビームスプリッターを透過させた後に光検出器を通して再生するというものである。その他、半導体レーザーから出た光を直接対物レンズを透過させて集光させる方式も存在する。いずれにしても、その際に使用する対物レンズの数は、１つの半導体レーザー又は光検出器につき１個だった。したがって、複数の半導体レーザー又は光検出器による記録および再生については、対物レンズは複数必要だった。そのため、複数の半導体レーザー又は光検出器を使用する場合、光ヘッド部分はどうしても大きくなり、又、対物レンズの切り替えの必要もあった。しかも、対物レンズを複数使用すれば、レンズの占める面積が広くなる為に、光ディスクの「近接した位置」への情報の「同時」記録、及び「近接した位置」からの「同時」再生はそれだけ難しくなる。それは、光ディスクへの情報の記録及び光ディスクからの情報の再生の大容量化、高速度化の１つの阻害要因となる。
【発明が解決しようとする課題】
【０００３】  複数の半導体レーザーによる光ディスクへの情報の記録が、対物レンズが１個で可能となり、しかも、複数の半導体レーザーから発したレーザー光が、同時に、その１つの対物レンズを通過できれば、１枚の光ディスクに対し、複数の半導体レーザーによって「近接した位置」に「同時に」「複数の」記録が可能となる。又、光ディスクの別々の位置で反射したレーザー光を１個の対物レンズを通過させることによって複数の光検出器に振り分けられれば、１枚の光ディスクの「近接した位置」から「同時に」「複数の」情報を再生できる。
【課題を解決する為の手段】
【０００４】  一般的なレンズは焦点が１つであるのに対して、ボールレンズには、ほぼ無数の焦点があり、その焦点群が球面を形成している。従って、ボールレンズは、半径がほぼ０のレンズが、ほぼ無数に結合して１個のレンズを構成する、極めて特異なレンズと見ることができる。しかも、レーザー光発信器（なお、本明細書においては、半導体レーザーから出た光を平行光線に変換するまでの機構全体をレーザー光発信器という。）が複数ある場合、ボールレンズに入射する平行光線は、その平行光線が発せられた各レーザー光発信器の光線群ごとにほぼ別々の焦点に集まる。ボールレンズのこの性質を利用すれば、複数のレーザー光発信器から「同時に」レーザー光を発してボールレンズを通過させて、光ディスクの別々の「近接した位置」に「同時に」「複数の」情報を記録することが可能となる。同様に、光ディスクの別々の「近接した位置」で反射したレーザー光を「同時に」ボールレンズを通過させることによって、別々の光検出器（なお、本明細書においては、対物レンズを透過した平行光線につき、それを検出する機構全体を光検出器という。）に到達させて「同時に」再生することが可能となる。
【作用】
【０００５】    本発明は以上説明したように構成されるので、複数のレーザー光発信器から「同時に」発した複数のレーザー光を、１つのボールレンズを使用して光ディスクの「近接した位置」に「同時に」記録できる。又、光ディスクの「近接した位置」で「同時に」反射したレーザー光を、１つのボールレンズを使用して異なる光検出器に送ることができる。その結果、光ディスクへの情報の記録及び光ディスクからの情報の再生の大容量化、高速化が図れると同時に、１つのボールレンズによって、「同時に」「異なった情報」を記録再生することが可能となる。
【実施例】
【０００６】  図１は、本発明の１つの実施形態としての、光ディスクの記録・再生装置における光ヘッドの断面図である。各レーザー光発信器（１ａ，１ｂ，１ｃ）から発した各レーザー光群（２ａ，２ｂ，２ｃ）は、いずれもボールレンズを通過して、光ディスク上又はその内部で焦点を結んで情報を記録する。又、各レーザー光発信器（１ａ，１ｂ，１ｃ）を光検出器に置き換えると、光ディスクから反射したレーザー光群（２ａ，２ｂ，２ｃ）は、いずれもボールレンズを通過して、各光検出器に到達して再生される。
図２は、本装置の対物レンズ（ボールレンズ）部分と、記録層を「溝」構造にした場合の光ディスクとの関係を表した図である。別々のレーザー光発信器から発したレーザー光群２ａ、２ｂ，２ｃは、いずれもボールレンズを通過して、レーザー光群２ａは光ディスクの記録面４ａに、レーザー光群２ｂは記録面４ｂに、レーザー光群２ｃは記録面４ｃに各々記録される。
【図面の簡単な説明】
【０００７】
【図１】本発明の１つの実施形態としての、光ディスクの記録・再生装置における光ヘッドの断面図である。
【図２】本装置の対物レンズ（ボールレンズ）部分と、記録層を「溝」構造にした場合の光ディスクとの関係を表した図である。
【符号の説明】
【０００８】１ａ，１ｂ，１ｃは、各々レ−ザ−光発信器、又は光検出器である。
２ａ，２ｂ，２ｃは、各々レ−ザ−光群である。
３はボールレンズの焦点で形成される球面である。
４ａ，４ｂ，４ｃは、各々光ディスク中の記録面である。
【図１】
2008192273.tif 000003
【図２】
2008192273.tif 000004